(57)【特許請求の範囲】
【請求項１】
相互に独立した複数の記録情報片と、前記個々の記録情報片に対応し、前記個々の記録情報片が再生装置を限定して再生されるべき記録情報片であるか否かを当該個々の記録情報片毎に夫々示す複数の個別限定情報片と、前記情報記録媒体が有する全ての記録情報片が再生装置を限定して再生されるべき記録情報片であるか又は前記情報記録媒体が有する記録情報片の一部が再生装置を限定して再生されるべき記録情報片であるかのいずれか一方を示す全体限定情報片と、前記複数の記録情報片を再生可能な再生装置を指定する装置指定情報片と、が記録されている情報記録媒体であって、各記個別限定情報片及び前記全体限定情報片並びに前記装置指定情報片が当該情報記録媒体の製造時において記録されているものである情報記録媒体から前記記録情報片に含まれている情報を再生する再生装置において、
前記全体限定情報片又は前記個別限定情報片により前記記録情報片が再生装置を限定して再生されるべき記録情報片であることが示されている場合に、前記装置指定情報片が当該再生装置自体を指定しているか否かを判別する判別手段と、
当該再生装置自体が指定されていない場合に、前記情報記録媒体が当該再生装置によっては再生不能であることを使用者に告知する告知手段と、
前記全体限定情報片及び前記個別限定情報片により前記記録情報片が再生装置を限定して再生されるべき記録情報片であることが示されていない場合、又は前記装置指定情報片により当該再生装置自体が指定されている場合のいずれかの場合に、使用者の選択した前記記録情報片を再生する再生手段と、
を備えることを特徴とする再生装置。
【請求項２】
前記情報記録媒体が前記再生装置にセットされた場合に、前記判別手段はまず最初に前記全体限定情報片を参照することを特徴とする請求項１記載の再生装置。
【請求項３】
相互に独立した複数の記録情報片を作成する第１の情報片作成手段と、
使用者の指示に対応して、前記個々の記録情報片について、前記個々の記録情報片が再生装置を限定して再生されるべき記録情報片であるか否かを当該個々の記録情報片毎に夫々示す複数の個別限定情報片を作成する第２の情報片作成手段と、
使用者の指示に対応して、前記複数の記録情報片を再生可能な再生装置を指定する装置指定情報片を作成する第３の情報片作成手段と、
使用者の指示に対応して、前記情報記録媒体が有する全ての記録情報片が再生装置を限定して再生されるべき記録情報片であるか又は前記情報記録媒体が有する記録情報片の一部が再生装置を限定して再生されるべき記録情報片であるかのいずれか一方を示す全体限定情報片を作成する第４の情報片作成手段と、
前記記録情報片、前記個別限定情報片、前記装置指定情報片及び前記全体限定情報片を形成して前記情報記録媒体を製造する形成手段と、
を備え、
前記形成手段は、前記全体限定情報片を前記情報記録媒体上の最初に再生される制御情報片に含めることを特徴とする情報記録装置。
【発明の詳細な説明】
【０００１】
【発明の属する技術分野】
本発明は、ＤＶＤに代表される画像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【０００２】
【従来の技術】
従来は、画像、音声等の情報が記録された光ディスクとしては、いわゆるＬＤ（Laser Disk）、ＣＤ（Compact Disk）等が広く一般化している。
【０００３】
これらＬＤ等においては、画像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを選択して聞いたり、再生順序をランダムに変えて聞く等の再生が可能である。
【０００４】
これら記録媒体に記録された情報の再生時の用途としては、劇場映画等の業務用途及び一般家庭における再生等の民生用途の２種類が考えられる。
【０００５】
【発明が解決しようとする課題】
しかしながら、ＤＶＤ等の光ディスクにおいてディスク構造等の規格を業務用と民生用とで同一とすると、民生用の情報再生装置で業務用の光ディスクが再生されてしまうという問題がある。
【０００６】
即ち、例えば映画を例にとると、一般的にはロードショー上映されてから数か月乃至数年経過した後に当該映画を記録した民生用の光ディスクが販売される。この場合に、ロードショー上映中にその映画を記録した業務用の光ディスクが市場に不正に流通すると、その映画の制作者、興行者に多大な損害を与えることになる。
【０００７】
このような問題の解決策としては、業務用と民生用とでディスク構造等の規格を異ならせればよいのであるが、そうすると一つの映画に対して光ディスク及びその再生装置を少なくとも２種類製造する必要が生じるので、大量生産が困難になり、光ディスク及び再生装置の価格を下げることが困難になってしまう。
【０００８】
また、他の方法として、業務用と民生用とでディスク構造等の規格は同一としたままで市場における流通経路を業務用と民生用とで別経路とする方法も考えられるが、この場合も業務用映画ソフトの一般市場への流出を根絶することは実際は難しい。
【０００９】
また、さらに別の方法として、光ディスクの記録信号に所謂コピーガード信号を多重する方法もあるが、この場合でもレプリケーション法により複製光ディスクが制作された場合には、民生用の再生装置で再生が可能となってしまう。
【００１０】
以上のような問題点を解決するため、本願出願人は、光ディスク上にその光ディスクを再生可能な情報再生装置を特定するための信号を記録しておくことを提案している（特願平０７−０８８４５３号参照）。この場合、再生装置は再生前に該信号を参照し、自身が該信号によって特定される再生装置である場合に限りそのディスクの再生が可能となる。しかし、この手法の場合、業務用、民生用の指定が一枚のディスクに記録された全ての部分について統一的に決められている場合は良いが、一枚のディスク上に業務用と民生用の記録情報が混在するような場合には再生装置を正しく限定することが容易ではない。即ち、ディスク上に記録された複数の記録情報の内の一部を業務用に限定し、他の部分を業務用と民生用に共通して使用するというようなディスクの使用ができないのである。
【００１１】
そこで、本発明の課題は、ディスク構造等の規格を変更することなく、業務用の記録媒体が民生用の再生装置で再生されることを防止することが可能な情報記録媒体及びそのための記録装置、再生装置を提供することにある。
【００１３】
【課題を解決するための手段】
以上の課題に鑑み、請求項１記載の発明は、相互に独立した複数の記録情報片と、前記個々の記録情報片に対応し、前記個々の記録情報片が再生装置を限定して再生されるべき記録情報片であるか否かを当該個々の記録情報片毎に夫々示す複数の個別限定情報片と、前記情報記録媒体が有する全ての記録情報片が再生装置を限定して再生されるべき記録情報片であるか又は前記情報記録媒体が有する記録情報片の一部が再生装置を限定して再生されるべき記録情報片であるかのいずれか一方を示す全体限定情報片と、前記複数の記録情報片を再生可能な再生装置を指定する装置指定情報片と、が記録されている情報記録媒体であって、各記個別限定情報片及び前記全体限定情報片並びに前記装置指定情報片が当該情報記録媒体の製造時において記録されているものである情報記録媒体から前記記録情報片に含まれている情報を再生する再生装置において、前記全体限定情報片又は前記個別限定情報片により前記記録情報片が再生装置を限定して再生されるべき記録情報片であることが示されている場合に、前記装置指定情報片が当該再生装置自体を指定しているか否かを判別する判別手段と、当該再生装置自体が指定されていない場合に、前記情報記録媒体が当該再生装置によっては再生不能であることを使用者に告知する告知手段と、前記全体限定情報片及び前記個別限定情報片により前記記録情報片が再生装置を限定して再生されるべき記録情報片であることが示されていない場合、又は前記装置指定情報片により当該再生装置自体が指定されている場合のいずれかの場合に、使用者の選択した前記記録情報片を再生する再生手段と、を備えることを特徴とする。
【００１４】
以上の課題に鑑み、請求項３記載の発明は、相互に独立した複数の記録情報片を作成する第１の情報片作成手段と、使用者の指示に対応して、前記個々の記録情報片について、前記個々の記録情報片が再生装置を限定して再生されるべき記録情報片であるか否かを当該個々の記録情報片毎に夫々示す複数の個別限定情報片を作成する第２の情報片作成手段と、使用者の指示に対応して、前記複数の記録情報片を再生可能な再生装置を指定する装置指定情報片を作成する第３の情報片作成手段と、使用者の指示に対応して、前記情報記録媒体が有する全ての記録情報片が再生装置を限定して再生されるべき記録情報片であるか又は前記情報記録媒体が有する記録情報片の一部が再生装置を限定して再生されるべき記録情報片であるかのいずれか一方を示す全体限定情報片を作成する第４の情報片作成手段と、前記記録情報片、前記個別限定情報片、前記装置指定情報片及び前記全体限定情報片を形成して前記情報記録媒体を製造する形成手段と、を備え、前記形成手段は、前記全体限定情報片を前記情報記録媒体上の最初に再生される制御情報片に含めることを特徴とする。
【００２２】
【発明の実施の形態】
次に、本発明に好適な実施の形態について説明する。なお、以下に説明する実施の形態は、上記ＤＶＤに対して本発明を適用した実施の形態について説明するものである。
【００２３】
なお、以下の実施の形態においては、下記リストの左側に示した特許請求の範囲における各構成要素の一例が、下記リストの右側に示した要素から夫々構成されている。
【００２４】
記録情報片：タイトル及びＶＴＳ（Video Title Set ）
全体限定情報片：タイトルセット情報
個別限定情報片：再生装置限定情報
装置指定情報片：再生装置指定情報
［１］情報記録媒体の実施の形態
始めに、本発明が適用された情報記録媒体の実施の一形態であるＤＶＤの物理的及び論理的な構成並びにその動作について説明する。
【００２５】
始めに、映像情報及び音声情報のＤＶＤ上における記録フォーマット（物理的記録フォーマット）について、図１を用いて説明する。
図１に示すように、実施形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set ）とは、関連する（音声、サブピクチャのストリーム数や仕様、対応言語などの属性が同じ）タイトル（映画等の、製作者が視聴者に提示しようとする一つの作品）を一まとめにしたセット（まとまり）であり、より具体的には、例えば、一本の同じ映画について、異なる言語の複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録される。
【００２６】
一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００２７】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information ）が記録される。各ＶＯＢ１０には、制御情報の他に映像情報及び音声情報の実体部分（制御情報以外の映像又は音声そのもの）が記録されている。一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００２８】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００２９】
そして、一のＶＯＢユニット３０は、ナビパック４１と、映像情報としてのビデオパック４２と、音声情報としてのオーディオパック４３と、副映像情報としてのサブピクチャパック４４とにより構成されている。ここで、ビデオパック４２としては画像データの含まれるパケットとパックヘッダのみが記録され、オーディオパック４３としては音声データの含まれるパケットとパックヘッダのみが記録される。また、サブピクチャパック４４としては副映像としての文字や図形等のグラフィックデータの含まれるパケットとパックヘッダのみが記録される。なお、ＤＶＤ１に記録可能な音声は８種類であり、記録可能な副映像の種類は３２種類であることが規格上定められている。
【００３０】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。
【００３１】
さらに、一のＶＯＢＵにおいてナビパック４１は必ず先頭に存在するが、ビデオパック４２、オーディオパック４３、サブピクチャパック４４の夫々は必ずしも存在する必要はなく、存在する場合もその数や順序は自由である。
【００３２】
最後に、ナビパック４１は、表示させたい映像や音声を検索するための検索情報（具体的には、当該表示させたい映像や音声が記録されているＤＶＤ１上のアドレス等）であるＤＳＩ（Data Search Information ）パケット５１と、ＤＳＩパケット５１に基づいて検索してきた映像や音声等を表示する際の表示制御に関する情報であるＰＣＩ（Presentation Control Information）パケット５０とにより構成され、更に、一のＶＯＢＵに含まれている全てのビデオデータは、１個以上のＧＯＰ（Group Of Picture）５２により構成されている。なお、ＰＣＩデータ５０には、視聴者によって選択される選択項目に対して、その項目が選択された時の表示や動作を定義したハイライト情報が含まれている。ハイライト情報によって、例えば視聴者が選択すべき項目を表示した画像（いわゆるメニュー画面）における、選択された項目に対する画面表示の変化や変化すべき表示位置及び選択した項目に対応するコマンド（選択された項目に対応して実行される命令）の設定が行なわれる。ここで、メニュー画面を構成して表示するために必要な、枠、選択ボタン等を構成して表示するための画像情報は、上記の副映像情報であるサブピクチャパック４４として記録される。
【００３３】
更に、上記ＧＯＰ５２は、本実施の形態におけるＤＶＤ１に画像情報を記録する際に採用されている画像圧縮方式であるＭＰＥＧ２（Moving Picture Experts Group  ２）方式の規格において定められている単独で再生可能な最小の画像単位である。
【００３４】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００３５】
以上説明した図１に示す階層構造の記録フォーマットにおいて、夫々の区分は、製作者がその意図に応じて自在に区分設定をして記録させることができる。これらの区分毎に後述の論理構造に基づいて再生することにより、変化に富んだ種々の再生が可能となるのである。
【００３６】
次に、図１に示す物理的な区分により記録された情報を組合わせた論理的フォーマット（論理構造）について図２を用いて説明する。なお、図２に示す論理構造は、その構造で実際にＤＶＤ１上に情報が記録されているのではなく、図２に示す論理構造で図１に示す各データ（特にセル２０）を組合わせて再生するための情報（アクセス情報又は時間情報等）がＤＶＤ１上の、特にコントロールデータ１１の中に記録されているものである。
【００３７】
説明の明確化のために、図２の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが、区分を識別してコマンドによってアクセスできる最小の論理的単位でもある。なお、このプログラム６０を１個以上まとめたものを、視聴者が自由に選択して視聴することができる最小単位として製作者が定義することもでき、この単位をＰＴＴ（Part Of Title ）という。
【００３８】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００３９】
ここで、一のセル２０の番号については、当該セル２０を図１に示す物理フォーマットにおいて取り扱う際にはセルＩＤ番号として扱われ（図１中、セルＩＤ＃と示す。）、図２に示す論理フォーマットにおいて取り扱う際には後に述べるＰＧＣＩ中の記述順にセル番号として扱われる。
【００４０】
次に、複数のプログラム６０を組合わせて一のＰＧＣ（Program Chain ）６１が製作者の意図に基づいて論理上構成される。このＰＧＣ６１の単位で、前述したＰＧＣＩ（Program Chain Information ）が定義され、当該ＰＧＣＩには、夫々のプログラム６０を再生する際の各プログラム６０の再生順序（この再生順序により、プログラム６０毎に固有のプログラム番号が割当てられる。）、セル２０の再生順序（この再生順序により、セル２０毎に固有のセル番号が割当てられる。）、夫々のセル２０のＤＶＤ１上の記録位置であるアドレス、一のプログラム６０における再生すべき先頭セル２０の番号、各プログラム６０の再生方式及び各種コマンド（ＰＧＣ６１又はセル２０毎に製作者が指定可能なコマンド）が含まれている。なお、ＰＧＣＩのＤＶＤ１上の記録位置は、上述の通り、コントロールデータ１１内であるが、あるいは、ビデオマネージャ２内のメニューに関するＰＧＣＩであればビデオマネージャ２のコントロールデータ（図示せず）内である。
【００４１】
また、一のＰＧＣ６１には、上記ＰＧＣＩの他に、実体的な画像及び音声等のデータがプログラム６０の組合わせとして（換言すれば、セル２０の組合わせとして）含まれることとなる。
【００４２】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００４３】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００４４】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図２に示す一のＶＴＳ６３に相当する情報は、図１に示す一のＶＴＳ３に含まれている情報に対応している。すなわち、ＤＶＤ１には、図２に示す論理上のＶＴＳ６３内に含まれる全ての情報が一のＶＴＳ３として記録されていることとなる。
【００４５】
以上説明した論理フォーマットに基づいて、物理構造において区分された情報を製作者が指定することにより、視聴者が見るべき映像（映画等）が形成されるのである。
【００４６】
以上説明したような種々の階層の情報を記録する必要があるため、上述の記録フォーマットを有する情報は、上記ＤＶＤ１のように、一本の映画を記録する他に、当該映画に対応する音声や字幕等について、複数種類の言語の音声や字幕をも同一の光ディスクに記録することが可能な大きな記憶容量を有する情報記録媒体に特に適している。
【００４７】
次に、上記の物理構造及び論理構造を有する画像情報及び音声情報のうち、特に本発明に係るタイトルセット情報、再生装置指定ＩＤ及び再生装置限定情報について詳細に説明する。なお、上記情報は以下に述べる２種類の記録態様で記録することができる。
(1) 第１の記録態様
本発明においては、ビデオマネージャ２内にタイトルセット情報Ｉtsを記録することを特徴としている。図３に第１の記録態様による記録例を示す。タイトルセット情報Ｉtsとは、そのＤＶＤ１に記録されているＶＴＳ３を再生する再生装置をある特定の再生装置に限定するか否かに関する情報である。具体的には、図３に示すように、タイトルセット情報Ｉtsが「００」の場合にはそのＤＶＤ１に記録された全てのＶＴＳ３は再生装置を限定しない、即ち、どのような再生装置を用いても全てのＶＴＳ３を再生することができることを意味する。また、タイトルセット情報Ｉtsが「１１」の場合にはそのＤＶＤ１に記録された全てのＶＴＳ３は再生装置を限定する、即ち、ある特定の再生装置を用いなければいずれのＶＴＳ３も再生することができないことを意味する。さらに、タイトルセット情報Ｉtsが「１０」の場合にはそのＤＶＤ１に記録されたＶＴＳ３のうちには再生装置を限定するものと限定しないものが含まれている、即ち、いくつかのＶＴＳ３はある特定の再生装置を用いなければ再生することができず、それ以外ＶＴＳ３はどのような再生装置を用いても再生することができることを意味する。なお、この再生装置を限定するＶＴＳ３は前述の業務用の記録情報に対応し、再生装置を限定しないＶＴＳ３は民生用若しくは業務用、民生用で共用できる記録情報に対応する。
【００４８】
また、ビデオマネージャ２には、さらに上記のタイトルセット情報Ｉtsによって再生装置を限定すると規定されたＶＴＳ３夫々に対応する再生装置指定情報Ｉd が含まれている。再生装置指定情報Ｉd は、そのＶＴＳ３を再生することが許されている再生装置を識別する情報、即ち、業務用であるか民生用であるか、あるいは業務用の場合どういった種類の情報を扱う再生装置であるかといった再生装置の種類等を示す情報をテキスト形式で記述したものである。具体的には、各再生装置はその種類ごとに再生装置コードを割り当てられており、内蔵メモリ等に自己の再生装置コードを記憶している。再生装置指定情報Ｉd は、そのＤＶＤ１を再生することが許されている再生装置の再生装置コードを指定している。前述のタイトルセット情報ＩtsによればＤＶＤ１上のＶＴＳ３が再生装置を限定するか否かを知ることができるが、では実際にはどのような再生装置に限定されるのかはタイトルセット情報のみからは知ることはできない。そこで、タイトルセット情報Ｉtsが再生装置を限定すると規定している場合（「１１」及び「１０」）に、どの再生装置に限定されるのかを示す情報を再生装置指定Ｉd が示しているのである。
【００４９】
従って、タイトルセット情報Ｉts及び再生装置指定ＩＤを参照することにより、当該ＤＶＤ１上のＶＴＳ３が全ての再生装置で再生できるのか、それともある特定の再生装置を使用しなければ再生できないのか、及び、ある特定の再生装置に限定されるのであればそれは具体的にどの再生装置なのかを知ることができる。
【００５０】
また、本発明においては、図３に示すように、ＶＴＳ３内のコントロールデータ１１に再生装置限定情報Ｉdlが含められる。この再生装置限定情報Ｉdlは、当該コントロールデータ１１が属するＶＴＳ３が再生装置を限定するか否かを示す情報である。前述のタイトルセット情報Ｉtsは、そのＤＶＤ１に含まれる複数のＶＴＳ３について、その全てがあらゆる再生装置で再生可能か、又は、ある限定された再生装置でのみ再生可能か、若しくは再生可能な再生装置が限定されるＶＴＳ３と限定されないＶＴＳ３の両方を含むかを示す情報である。これに対し、ここでいう再生装置限定情報Ｉdlは、ＤＶＤ１内の全てのＶＴＳ３についてではなく、そのコントロールデータ１１が属する一のＶＴＳ３のみについて再生装置が限定されているか否かを示す情報である。具体的には、図３に示すように、再生装置限定信号が「００」の場合は、そのＶＴＳ３は再生装置を限定しない、即ち、あらゆる再生装置を用いて再生することができることを意味する。一方、再生装置限定信号が「１１」の場合は、そのＶＴＳ３は再生装置を限定する、即ち、ある特定の再生装置を用いなければ再生することができないことを意味する。再生装置限定信号が「１１」の場合に、そのＶＴＳ３を再生することが可能な再生装置が具体的にどれであるかは、前述の再生装置指定Ｉd を参照することにより知ることができる。
【００５１】
このように、本発明においては、ＤＶＤの最初にアクセスされるエリアであるビデオマネージャ２内に当該ＤＶＤに含まれる全ての記録情報についての再生装置の限定に関する情報を記録する。従って、そのＤＶＤ内の記録情報（即ちＶＴＳ）全てが業務用又は民生用に統一されている場合には、各ＶＴＳに個別にアクセスする必要なく再生装置についての限定の有無を知ることができるので、迅速に再生を開始し、又は、再生不能であることをユーザーに知らせることができる。ユーザーにとっては、全てのＶＴＳに時間をかけてアクセスした後、結局、その再生装置ではいずれのＶＴＳも再生不能であったと知らされるのでは使い勝手が良くない。この点、本発明では、全ての記録情報についての再生装置の限定が統一的に定められている場合には、ディスク挿入後直ちに再生の可否か分かるので、ユーザーの使い勝手を向上させることができる。また、統一的に定められていない場合も、個々のＶＴＳにアクセスすることにより、そのＶＴＳが再生装置を限定するか否かが分かるので、１つのディスク内に業務用のＶＴＳと民生用のＶＴＳを混在させることができる。
(2) 第２の記録態様
第１の記録態様では、個々のＶＴＳ３について再生装置を限定するか否かを再生装置限定情報Ｉdlとして各ＶＴＳ３内のコントロールデータ１１に含めている。この代わりに、個々のＶＴＳ３について再生装置を限定するか否かの情報をビデオマネージャ２にまとめて含める方法もある。この場合の再生装置限定情報Ｉdlの記録例を図４に示す。図４に示すように、ビデオマネージャ２内には個々のＶＴＳ３についての関連情報ＩR が記録されており、その一部に夫々のＶＴＳ３の再生装置限定情報Ｉdlが含まれている。個々の再生装置限定情報Ｉdlの意味は第１の記録態様の場合と同様であり、再生装置限定信号が「００」の場合はそのＶＴＳ３は再生装置を限定せず、再生装置限定信号が「１１」の場合はそのＶＴＳ３は再生装置を限定することになる。また、再生装置限定情報Ｉdlが「１１」の場合に具体的にどの再生装置に限定されるかはビデオマネージャ２内の再生装置指定Ｉd により定められている。
【００５２】
このように、各ＶＴＳ３についての再生装置限定情報をまとめてビデオマネージャ２内に記録しておけば、再生装置の限定があるＶＴＳと限定が無いＶＴＳとが混在している場合にも、ユーザーが選択したＶＴＳの再生装置の限定の有無をそのＶＴＳをサーチすることなく知ることができ、再生の可否を迅速にユーザーに知らせることができる。なお、この点については、後の再生装置の動作の項目でより具体的に説明する。
［２］記録装置の実施形態
次に、上述のタイトルセット情報等含む制御情報、映像情報及び音声情報をＤＶＤ１に記録するための記録装置の実施形態について、図５を用いて説明する。始めに、本実施形態の記録装置の構成及び動作について説明する。
【００５３】
図５に示すように、本実施形態に係る記録装置Ｓ1 は、ＶＴＲ（Video Tape Recorder ）７０と、メモリ７１と、信号処理部７２と、ハードディスク装置７３及び７４と、コントローラ７５と、多重器７６と、変調器７７と、マスタリング装置７８とにより構成されている。
【００５４】
次に、動作を説明する。
ＶＴＲ７０には、ＤＶＤ１に記録すべき音楽情報や映像情報等の素材である記録情報Ｒが一時的に記録されている。そして、ＶＴＲ７０に一時的に記録された記録情報Ｒは、信号処理部７２からの要求により当該信号処理部７２に出力される。信号処理部７２は、ＶＴＲ１から出力された記録情報ＲをＡ／Ｄ変換した後、ＭＰＥＧ２方式により圧縮処理し、音楽情報と映像情報とを時間軸多重して圧縮多重信号Ｓr として出力する。その後、出力された圧縮多重信号Ｓr は、ハードディスク装置７３に一時的に記憶される。
【００５５】
これらと並行して、メモリ７１は、上記記録情報Ｒを部分記録情報Ｐr に予め区分し、それぞれの部分記録情報Ｐr に関する制御情報等が記載されたキューシートＳＴに基づき、予め入力された当該部分記録情報Ｐr に関する内容情報を一時的に記憶し、信号処理部７２からの要求に基づいて内容情報信号Ｓi として出力する。信号処理部７２は、ＶＴＲ７０から出力される上記記録情報Ｒに対応したタイムコードＴt 及びメモリ７１から出力される内容情報信号Ｓi に基づき、タイムコードＴt を参照して上記部分記録情報Ｐr に対応するアクセス情報信号Ｓacを生成して出力し、当該アクセス情報信号Ｓacがハードディスク装置７４に一時的に記憶される。以上の処理が記録情報Ｒ全体について実行される。
【００５６】
記録情報Ｒの全てについて上記の処理が終了すると、コントローラ７５は、ハードディスク装置７３から圧縮多重信号Ｓr を読み出すとともにハードディスク装置７４からアクセス情報信号Ｓacを読み出し、これらに基づいて付加情報ＤA を生成し、ハードディスク装置７４に記憶する。本実施形態におけるタイトルセット情報、再生装置指定情報及び再生装置限定情報の内容は予めＤＶＤ１の制作者によって決められており、ハードディスク７４に記憶されている。そして、信号処理部７２の制御により、ビデオマネージャ２及びコントローラ１１に対応する情報は付加情報ＤA に含められる。即ち、前記第１の記録態様においては、タイトルセット情報及び再生装置指定情報がビデオマネージャ２として記録される情報として、また、再生装置限定情報が各ＶＴＳ３内のコントロールデータ１１として記録される情報として付加情報ＤA に含められる。一方、前記第２の記録態様においては、タイトルセット情報、再生装置指定情報及び再生装置限定情報はいずれもビデオマネージャ２として記録される情報として付加情報ＤA に含められる。
【００５７】
一方、コントローラ７５は、上記信号処理部７２、ハードディスク装置７３及びハードディスク装置７４の夫々の動作の時間管理を行い、当該付加情報ＤA に対応する付加情報信号Ｓa をハードディスク装置７４から読み出して出力すると共に圧縮多重信号Ｓr と付加情報信号Ｓa を時間軸多重するための情報選択信号Ｓc を生成して出力する。
【００５８】
その後、圧縮多重信号Ｓr と付加情報信号Ｓa は、情報選択信号Ｓc に基づき、多重器７６により時間軸多重されて情報付加圧縮多重信号Ｓapとして出力される。この情報付加圧縮多重信号Ｓapの段階では、記録すべき情報はコントローラ７５の情報選択信号Ｓc を用いた切り換え動作によって制御信号と映像情報及び音声情報とが合成され、図１に示す物理構造（物理フォーマット）となっている。なお、副映像情報が存在する場合には、図示しないＦＤ装置などの他の手段によって復号処理部７２に入力され、映像、音声情報と同様に処理される。
【００５９】
その後、変調器７７は出力された情報付加圧縮多重信号Ｓapに対してリードソロモン符号等のエラー訂正コード（ＥＣＣ）の付加及び８−１６変調等の変調を施してディスク記録信号Ｓm を生成し、マスタリング装置７８に出力する。
【００６０】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【００６１】
以上のようにして、タイトルセット情報、再生装置特定情報及び再生装置限定信号が前記第１又は第２の記録態様に従って記録されたＤＶＤが作成される。
［３］再生装置の実施形態
次に、上記の記録装置Ｓ1 によりＤＶＤ１に記録された情報を再生するための再生装置の実施形態を、図６乃至図８を用いて説明する。始めに、図６を用いて、実施形態の再生装置の全体構成及び動作について説明する。
【００６２】
図６に示すように、本実施形態に係る再生装置Ｓ2 は、ピックアップ８０と、復調訂正部８１と、ストリームスイッチ８２及び８４と、トラックバッファ８３と、システムバッファ８５と、デマルチプレクサ８６と、ＶＢＶ（Video Buffer Verifier ）バッファ８７と、ビデオデコーダ８８と、サブピクチャバッファ８９と、サブピクチャデコーダ９０と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３とにより構成されている。なお、図６に示す構成は、再生装置Ｓ2 の構成のうち、画像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【００６３】
次に、全体動作を説明する。
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【００６４】
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。
【００６５】
復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【００６６】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等におけるトラックジャンプに起因して不連続に入力される復調信号Ｓdmを連続的に出力し、当該不連続による再生の中断を解消するためのものである。なお、前述のタイトル情報等に関連する処理は主としてこのシステムバッファ８５、システムコントローラ１００等により行なわれるが、その詳細は後述する。
【００６７】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2 により開閉が制御される。
【００６８】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２）やＶＴＳ３のコントロールデータ１１を蓄積して制御情報Ｓc としてシステムコントローラ１００に出力すると共に、情報再生中に必要に応じて上記ナビパック４１毎のＤＳＩデータを一時的に蓄積し、システムコントローラ１００に制御情報Ｓc として出力する。
【００６９】
ストリームスイッチ８４を介して復調信号Ｓdmが連続的に入力されたデマルチプレクサ８６においては、当該復調信号Ｓdmから映像情報、音声情報、副映像情報及びナビパック４１毎のＰＣＩデータを分離し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、音声情報又は副映像情報として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【００７０】
ビデオ信号Ｓv が入力されるＶＢＶバッファ８７は、ＦＩＦＯメモリ等により構成され、ビデオ信号Ｓv を一時的に蓄積し、ビデオデコーダ８８に出力する。ＶＢＶバッファ８７は、ＭＰＥＧ２方式により圧縮されているビデオ信号Ｓv における各ピクチャ毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。
【００７１】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれる副映像情報を、当該副映像情報に対応する画像情報と同期して出力するためのものである。そして、映像情報との同期が取られた副映像信号Ｓspがサブピクチャデコーダ９０に入力され、復調が行われて復調副映像信号Ｓspd として混合器９１に出力される。
【００７２】
なお、副映像信号Ｓspが、メニュー画面を構成して表示するために必要な、枠、選択ボタン等を構成するための画像情報を含んでいる場合には、システムコントローラ１００からのハイライト制御信号Ｓchに基づき、表示すべき選択ボタン等の表示状態の変更を行って出力する。
【００７３】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき画像信号Ｓvpとして図示しないＣＲＴ（Cathod Ray Tube ）等の表示部に出力される。
【００７４】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓadd として図示しないスピーカ等に出力される。なお、アクセス直後の再生で一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓadd の出力を停止する。
【００７５】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータと当該ＰＣＩデータが対応する映像情報、副映像情報等とを同期させ、当該映像情報又は副映像情報等にＰＣＩデータを適用させるためのものである。そして、ＰＣＩバッファ９４により対応する映像情報又は副映像情報等と同期したＰＣＩ信号Ｓpcは、ＰＣＩデコーダ９５によりＰＣＩデータに含まれるハイライト情報が分離され、ハイライト信号Ｓhiとしてハイライトバッファ９６に出力されると共に、ＰＣＩデータのハイライト情報以外の部分がＰＣＩ情報信号Ｓpci としてシステムコントローラ１００に出力される。
【００７６】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための画像情報が含まれている副映像信号Ｓspに対応して、ハイライト情報に対応する選択項目の表示状態の変更が正確に行なわれるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhid としてシステムコントローラ１００に出力される。ここで、システムコントローラ１００は、当該復調ハイライト信号Ｓhid に基づき、ハイライト情報による表示状態の変更を行うべく、上記のハイライト制御信号Ｓchを出力することとなる。
【００７７】
システムコントローラ１００は、システムバッファ８５から入力される制御情報Ｓc 、ＰＣＩデコーダ９５から入力されるＰＣＩ情報信号Ｓpci 及びリモコン等の入力部９８から入力される入力信号Ｓinに基づき、それらの信号に対応した正しい再生を行うために上記のスイッチ信号Ｓsw2 、ストリーム選択信号Ｓlc、ポーズ信号Ｓca、ハイライト制御信号Ｓchを出力すると共に、再生装置Ｓ2 の動作状況等を表示するために表示信号Ｓdpを液晶表示装置等のディスプレイ９９に出力する。
【００７８】
更に、システムコントローラ１００は、上記制御情報Ｓc 等により、シームレス再生のためにサーチ等のトラックジャンプの処理が必要であることを検出したときには、ドライブコントローラ１０１に対して、当該トラックジャンプの処理に対応するシームレス制御信号Ｓcsl を出力する。
【００７９】
そして、シームレス制御信号Ｓcsl が入力されたドライブコントローラ１０１は、スピンドルモータ１０２又はスライダモータ１０３に対して駆動信号Ｓd を出力する。この駆動信号Ｓd により、スピンドルモータ１０２又はスライダモータ１０３は、光ビームＢが再生すべきＤＶＤ１上の記録位置に照射されるようにピックアップ２を移動させると共にＤＶＤ１の回転数をＣＬＶ制御する（図６破線矢印参照）。これと並行して、ドライブコントローラ１０１は、ピックアップ２が移動中であり復調訂正部３から復調信号Ｓdmが出力されないときには、シームレス制御信号Ｓcsl に基づきスイッチ信号Ｓsw1 を出力し、ストリームスイッチ８２を開とすると共に、復調信号Ｓdmが出力され始めると、ストリームスイッチ８２を閉成して復調信号Ｓdmをトラックバッファ８３に出力する。
【００８０】
次に、上記再生装置Ｓ2 の内、特に本発明に係るシステムコントローラ１００の動作について、図７に示すフローチャートに基づいて説明する。
(1) 第１の再生方法
まず、第１の再生方法について説明する。この第１の再生方法は、図３に示す第１の記録態様に従ってタイトルセット情報等が記録されている場合の再生方法である。図７は、第１の再生方法の動作フローチャートである。
【００８１】
まず、ユーザーがＤＶＤ１を再生装置Ｓ2 にセットすると、システムコントローラ１００は、トラッキングサーボ、フォーカスサーボ等のサーボ系の設定を含む初期設定を行ない（ステップＳ１）、次に、ビデオマネージャ２にアクセスして図３に示すタイトルセット情報及び再生装置指定情報を含む必要な情報を取得する（ステップＳ２）。続いて、システムコントローラ１００は、取得したタイトルセット情報が「００」、「１０」、「１１」のいずれであるかを判断する（ステップＳ３）。
【００８２】
タイトルセット情報が「００」である場合、当該ＤＶＤ１に含まれる全てのＶＴＳ３は再生装置を限定せずあらゆる再生装置で再生が可能であるので、通常の再生動作を行なう。具体的には、そのＤＶＤ１に含まれる１又は２以上のタイトルをＣＲＴ上にメニュー表示する（ステップＳ４）。ユーザーが再生を希望する一のタイトルを選択すると（ステップＳ５）、システムコントローラ１００は選択されたタイトルの含まれるＶＴＳ３をサーチし、ＤＶＤ１上の当該ＶＴＳ３の位置へピックアップをジャンプさせる（ステップＳ６）。次に、そのＶＴＳ３内のコントロールデータ１１を読み取る（ステップＳ７）。そして、システムコントローラ１００は、コントロールデータ１１に含まれるＰＧＣＩを取得し（ステップＳ８）、その内容に従って当該ＶＴＳ３の再生を行なう（ステップＳ９）。
【００８３】
一方、ステップＳ３においてタイトルセット情報が「１１」であると判断された場合には、当該ＤＶＤ１の全てのＶＴＳ３は再生できる再生装置が限定されていることになる。そこで、システムコントローラ１００は、そのＤＶＤ１がセットされている再生装置がステップＳ２で取得した再生装置指定情報により指定される再生装置に該当するか否かを判断する（ステップＳ１０）。該当する場合には（ステップＳ１０：Ｙｅｓ）、ステップＳ４へ飛び、通常再生を行なう（ステップＳ４乃至Ｓ９）。一方、現在の再生装置が再生装置指定情報により指定されている再生装置に該当しない場合には（ステップＳ１０：Ｎｏ）、システムコントローラ１００は当該ＤＶＤ１に記録された全てのタイトルがその再生装置によっては再生不可能である旨をＣＲＴ上に表示し（ステップＳ１１）、処理を終了する（ステップＳ１２）。
【００８４】
また、ステップＳ３においてタイトルセット情報が「１０」であると判断された場合は、そのＤＶＤ１には再生装置を限定するＶＴＳ３と限定しないＶＴＳ３とが混在していることを意味する。従って、ユーザーが再生を希望するタイトルがその再生装置で再生可能であるか否かを個別に調べてから再生を行なうことになる。具体的には、まず、そのＤＶＤ１に含まれるタイトルをＣＲＴ上に表示し（ステップＳ１３）、ユーザーにそのうちのいずれかのタイトルを選択させる（ステップＳ１４）。次に、選択されたタイトルが含まれるＶＴＳ３をサーチしてそのＤＶＤ１上の記録位置へピックアップをジャンプし（ステップＳ１５）、そのＶＴＳ３に含まれるコントロールデータ１１を読み取る（ステップＳ１７）。コントロールデータ１１には、図３に示すように再生装置限定情報が含まれているので、システムコントローラ１００はこれを参照し、当該ＶＴＳ３が再生装置を限定しているか否かを検出する（ステップＳ１７）。当該ＶＴＳ３が再生装置を限定しない場合、即ち、再生装置限定情報が「００」である場合には、そのタイトルは現在の再生装置によって再生することができる。よって、処理はステップＳ８へ飛び、当該ＶＴＳ３内のコントロールデータ１１からＰＧＣＩを取得して、再生を開始する（ステップＳ９）。
【００８５】
一方、当該ＶＴＳ３が再生装置を限定している場合、即ち、ステップＳ１７において再生装置限定情報が「１１」である場合には、システムコントローラ１００は現在の再生装置が再生装置指定情報により指定された再生装置に含まれるか否かを判断する（ステップＳ１８）。そして、指定された再生装置に含まれる場合は（ステップＳ１８：Ｙｅｓ）、処理はステップＳ８へ飛び、ＰＣＧＩを取得して再生を開始する（ステップＳ１９、Ｓ２０）。一方、ステップＳ１８において、指定された再生装置に含まれない場合には（ステップＳ１８：Ｎｏ）、システムコントローラ１００は、このタイトルが現在使用している再生装置によっては再生不可能である旨をＣＲＴ上に表示し（ステップＳ１９）、処理を終了する（ステップＳ２０）。
【００８６】
以上のように、第１の再生方法によれば、再生装置にＤＶＤがセットされると、システムコントローラ１００はまず、ビデオマネージャ２内のタイトルセット情報を参照して、当該ＤＶＤ１内の全てのタイトルが再生装置を限定しているか否かを判断する。そして、再生装置についての限定がない場合には直ちに再生を開始する。また、ＤＶＤ内の全てのタイトルについて限定がある場合には、その再生装置が指定の再生装置に含まれるか否かを判断し、指定された再生装置であれば再生を開始する。また、当該ＤＶＤ１内の一部のＶＴＳ３についてのみ再生装置の限定がある場合には、ユーザーに選択されたＶＴＳ３の再生装置限定情報をチェックして再生可能か否かを判断する。このように、本発明ではＤＶＤがセットされた場合に最初に読み取られるビデオマネージャ内に再生装置の限定の有無を示すタイトルセット情報を含めているので、再生装置の限定が統一的に決定されているＤＶＤの場合には、個々のＶＴＳをサーチしてＶＴＳ毎の限定の有無をチェックする必要がないので、迅速に再生を開始し、又は、再生不能であることを表示することが可能となる。また、再生装置を限定しているＶＴＳと限定していないＶＴＳとが混在しているＤＶＤにおいても、適格に再生の可否を判断して、再生可能な場合のみ再生を行なうことができる。
[2] 第２の再生方法
次に、第２の再生方法について説明する。第２の再生方法は、図４に示す第２の記録態様に従って作成されたＤＶＤの再生方法に関する。図８に、第２の再生方法の動作フローチャートを示す。
【００８７】
この第２の再生方法は、セットされたＤＶＤに再生装置を限定するＶＴＳと限定しないＶＴＳが混在している場合の処理においてのみ第１の再生方法と相違する。即ち、図８において、ＤＶＤをセットしてからタイトルセット情報をチェックするまでの処理（ステップＳ２１乃至Ｓ２３）、タイトルセット情報が「００」であった場合の処理（ステップＳ２４乃至Ｓ２９）、及び、タイトルセット情報が「１１」であった場合の処理（ステップＳ３０乃至Ｓ３２）は、図７に示す第１の再生方法における処理（ステップＳ１乃至Ｓ３、ステップＳ４乃至Ｓ９、及び、ステップＳ１０乃至Ｓ１２）と同一であるので、その詳細な説明は省略する。但し、図４に示す記録態様では、各ＶＴＳ３についての再生装置限定情報がビデオマネージャ２内にまとめて記録されているので、システムコントローラ１００はステップＳ２２でタイトルセット情報、再生装置指定情報のみならず、各ＶＴＳ３についての再生装置限定情報をも取得することになる。
【００８８】
さて、ステップＳ２３でタイトルセット情報が「１０」であると判断された場合は、そのＤＶＤ１には再生装置を限定するＶＴＳ３と限定しないＶＴＳ３とが混在していることを意味する。従って、そのＤＶＤ１に含まれるタイトルをＣＲＴ上に表示し（ステップＳ３３）、ユーザーにそのうちのいずれかのタイトルを選択させる（ステップＳ３４）。次に、ビデオマネージャ２に記憶された再生装置限定情報のうち、選択されたタイトルが含まれるＶＴＳ３に対応する再生装置限定情報を取得し（ステップＳ３５）、当該ＶＴＳ３が再生装置を限定しているか否かを検出する（ステップＳ３６）。ここでは、第１の再生方法の場合と異なり、再生装置限定情報は各ＶＴＳ３内のコントロールデータ１１内ではなく、ビデオマネージャ２内にまとめて記録されているので（図４参照）、選択されたＶＴＳ３をサーチしてそれに含まれるコントロールデータ１１を読み取る必要はない。当該ＶＴＳ３が再生装置を限定しない場合、即ち、再生装置限定情報が「００」である場合には、そのタイトルは現在の再生装置によって再生することができる。よって、処理はステップＳ２８へ飛び、当該ＶＴＳ３内のコントロールデータ１１からＰＧＣＩを取得して、再生を開始する（ステップＳ２９）。
【００８９】
一方、当該ＶＴＳ３が再生装置を限定している場合、即ち、ステップＳ３６において再生装置限定情報が「１１」である場合には、システムコントローラ１００は現在の再生装置が再生装置指定情報により指定された再生装置に含まれるか否か再生装置指定情報Ｉd を参照して判断する（ステップＳ３７）。そして、指定された再生装置に含まれる場合は（ステップＳ３７：Ｙｅｓ）、処理はステップＳ２８へ飛び、ＰＣＧＩを取得して再生を開始する（ステップＳ２８、Ｓ２９）。一方、ステップＳ３７において、指定された再生装置に含まれない場合には（ステップＳ３７：Ｎｏ）、システムコントローラ１００は、このタイトルが現在使用している再生装置によっては再生不可能である旨をＣＲＴ上に表示し（ステップＳ３８）、処理を終了する（ステップＳ３９）。
【００９０】
このように、第２の記録態様によれば、各ＶＴＳに対応する再生装置限定情報がビデオマネージャ２内にまとめて記録されている。よって、第２の再生方法によれば、挿入されたＤＶＤが再生装置を限定するタイトルと限定しないタイトルを含む場合において、一のタイトルがユーザーにより選択されても、そのタイトルに対応するＶＴＳ３をサーチしてコントロールデータ１１を読みに行くことなく、直ちに再生の可否を知ることができ、ユーザーの操作に対して迅速な応答が可能となる。
【００９１】
以上夫々説明したように、本発明によれば、再生装置限定情報Ｉｄｌ及びタイトルセット情報ＩｔｓはＶＴＳ３が再生装置を限定して再生されるべきものであるか否かを示し、再生装置指定情報Ｉｄは、そのＶＴＳ３を再生することのできる再生装置を指定する。よって、これらを参照することにより、その再生装置で再生できるＶＴＳ３のみを正しく再生することができる。
【００９２】
また、再生装置の限定の有無を示すタイトルセット情報Ｉｔｓ及び再生装置限定情報Ｉｄｌが最初に再生されるように構成されているので、迅速に再生の可否を判断することが可能となる。
【００９３】
また、ＶＴＳ３が再生装置を限定して再生されるべきものであり、かつ、当該再生装置が再生装置指定情報Ｉｄにより指定されていない場合は、再生は不可能であるので、その旨を告知する。一方、ＶＴＳ３が再生装置を限定して再生されるべきものでない場合、又はＶＴＳ３が再生装置を限定して再生されるべきものでありかつ当該再生装置が再生装置指定情報Ｉｄにより指定されている場合には、使用者の選択したＶＴＳ３が再生される。従って、再生装置の指定の有無に応じて、正しく記録情報の再生を行なうことができる。
【００９４】
また、再生時においてまず最初にタイトルセット情報Ｉｔｓを参照するので、当該ＤＶＤ１内の全てのＶＴＳ３についての再生装置の限定の有無を即座に知ることができる。よって、迅速に再生を開始し、又は、再生不能である旨を使用者に告知することができる。
【００９５】
また、タイトルセット情報ＩｔｓをＤＶＤ１上の最初に再生されるＶＭＧ２に含めるようしてこれらのＶＴＳ３及びタイトルセット情報Ｉｔｓ等をＤＶＤ１に形成するので、再生時においては、まず最初にタイトルセット情報Ｉｔｓを再生することになり、当該ＤＶＤ１の全てのＶＴＳ３についての再生装置の限定の有無を迅速に知ることが可能となる。
【図面の簡単な説明】
【図１】本発明の実施形態に係るＤＶＤの記録フォーマットを示す図である。
【図２】本発明の実施形態に係るＤＶＤの論理フォーマットを示す図である。
【図３】タイトルセット情報等の第１の記録態様を示す図である。
【図４】タイトルセット情報等の第２の記録態様を示す図である。
【図５】本発明の実施形態に係るＤＶＤの記録装置の構成を示すブロック図である。
【図６】本発明の実施形態に係るＤＶＤの再生装置の構成を示すブロック図である。
【図７】本発明の実施形態に係る第１の再生方法の動作フローチャートである。
【図８】本発明の実施形態に係る第２の再生方法の動作フローチャートである。
【符号の説明】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオデータ
４３…オーディオデータ
４４…サブピクチャデータ
６０…プログラム
６１、６１Ａ、６１Ｂ…ＰＧＣ
６２…タイトル
７０…ＶＴＲ
７１…メモリ
７２…信号処理部
７３…ハードディスク装置
７４…ＦＤ装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９９…ディスプレイ
１００…システムコントローラ
１０１…ドライブコントローラ
１０２…スピンドルモータ
１０３…スライダモータ
Ｓ1 …記録装置
Ｓ2 …再生装置
ＤＫ…光ディスク
ＳＴ…キューシート
【図１】
0003957781.tif 000002
【図２】
0003957781.tif 000003
【図３】
0003957781.tif 000004
【図４】
0003957781.tif 000005
【図５】
0003957781.tif 000006
【図６】
0003957781.tif 000007
【図７】
0003957781.tif 000008
【図８】
0003957781.tif 000009